(57)【特許請求の範囲】
【請求項１】
被加熱物を加熱する加熱手段と、前記加熱手段の制御等を指示する操作手段と、前記操作手段を発光させる発光手段と、前記発光手段が断線していないかを検知する断線検知手段とを備え、前記断線検知手段にて前記発光手段が断線していることを検知すると、前記操作手段による操作を無効とするとともに、前記加熱手段によって被加熱物を加熱しているときに、断線検知手段にて加熱を停止させるキーを表示させる前記発光手段の断線を検知すると、前記加熱手段による加熱を停止する構成とした加熱調理器。
【請求項２】
被加熱物を加熱する加熱手段と、前記加熱手段の制御等を指示する操作手段と、前記操作手段を発光させる発光手段と、前記発光手段が断線していないかを検知する断線検知手段と、加熱のオンオフを行う指示をする専用の操作部である加熱操作手段と、前記加熱操作手段を発光させる加熱操作発光手段と、前記加熱操作発光手段の断線を検知する加熱操作断線検知手段とを備え、前記断線検知手段にて前記発光手段が断線していることを検知すると、前記操作手段による操作を無効とするとともに、前記加熱操作断線検知手段にて断線を検知したときのみ、前記加熱手段による加熱を行えないようにする構成とした加熱調理器。
【請求項３】
加熱状態などを表示する表示手段を備え、前記断線検知手段あるいは前記加熱操作断線検知手段にて前記発光手段が断線していることを検知すると、前記表示手段にてその旨の表示を行う構成とした請求項１または２に記載の加熱調理器。
【請求項４】
報知手段を備え、前記断線検知手段あるいは前記加熱操作断線検知手段にて断線を検知しているときに、前記操作手段あるいは加熱操作手段に操作を指示する入力があると、前記報知手段にて断線を検知している旨の報知を行う構成とした請求項１〜３のいずれか１項に記載の加熱調理器。
【発明の詳細な説明】
【技術分野】
【０００１】
本発明は、一般家庭やレストランなどで使用される加熱調理器に関するものである。
【背景技術】
【０００２】
従来、この種の加熱調理器に用いられる操作部として、静電容量式のタッチスイッチがあり、その中でもスイッチを発光体で光らせる構成のものが知られている（例えば、特許文献１参照）。
【０００３】
図１２において、人体の接近を検出する検知電極１０２の近傍にバックライト１０６が設けられ、バックライト１０６の上に光透過パターン１０３ａが形成された表示用マスク板１０３が設けられている。検知電極１０２の裏側には、第２光源１０７が配置されている。検知電極１０２に操作者の指が近づくと、まずバックライト１０６が第１のパターンで点灯され、意匠板１０１の表面１０１ａに光透過パターン１０３ａが浮かび上がる。指がその部分に接触すると、第２光源１０７が第２のパターンで点灯され、意匠板１０１に浮かび上がった光透過パターン１０３ａの輝度、色等が変化するので、これにより、スイッチがＯＮ状態になったことを確認することができる。
【特許文献１】特開２００６−１２８０１９号公報
【発明の開示】
【発明が解決しようとする課題】
【０００４】
しかしながら、前記従来の構成では、バックライト１０６が断線していて点灯していない場合においても操作者が表面１０１ａを押すと検知電極１０２にて操作を検知する構成となっており、操作部分が点灯しておらず、操作者から見て充分認識できていない場合でも、検知電極１０２にて反応すると、操作を受け付けてしまうという課題があった。
【０００５】
本発明は、前記従来の課題を解決するもので、操作手段である表面１０１ａを発光させる発光手段であるバックライト１０６が断線等で点灯していない場合には、検知電極１０２で検知した入力を無効とすることにより、操作手段である表面１０１ａが充分認識できる状態でなく、使用者が誤って操作手段に入力してしまい、意図せぬ制御が行われること防ぐことができるより使い勝手のよい加熱調理器を提供することを目的としている。
【課題を解決するための手段】
【０００６】
前記従来の課題を解決するために、本発明の加熱調理器は、被加熱物を加熱する加熱手段と、前記加熱手段の制御等を指示する操作手段と、前記操作手段を発光させる発光手段と、前記発光手段が断線していないかを検知する断線検知手段とを備え、前記断線検知手段にて前記発光手段が断線していることを検知すると、前記操作手段による操作を無効とするとともに、前記加熱手段によって被加熱物を加熱しているときに、断線検知手段にて加熱を停止させるキーを表示させる前記発光手段の断線を検知すると、前記加熱手段による加熱を停止する構成としたものである。
【０００７】
これによって、断線検知手段にて発光手段の断線を検知している場合には、発光手段と対を成す操作手段への入力を無効にすることができるものである。また、加熱手段によって被加熱物を加熱しているときに、断線検知手段にて加熱を停止させるキーを表示させる発光手段の断線を検知すると、前記加熱手段による加熱を停止する構成としたものである。これにより、加熱を停止させるためのキーが認識できなくても自動的に加熱を停止することにより、より安全性を高めることが可能となる。
【発明の効果】
【０００８】
本発明の加熱調理器は、断線検知手段にて発光手段の断線を検知すると、操作手段への入力を無効とすることにより、機器の誤操作を防ぎ、使い勝手をよくすることができる。また、加熱手段によって被加熱物を加熱しているときに、断線検知手段にて加熱を停止させるキーを表示させる発光手段の断線を検知すると、前記加熱手段による加熱を停止する構成としたものである。これにより、加熱を停止させるためのキーが認識できなくても自動的に加熱を停止することにより、より安全性を高めることが可能となる。
【発明を実施するための最良の形態】
【０００９】
第１の発明は、被加熱物を加熱する加熱手段と、前記加熱手段の制御等を指示する操作手段と、前記操作手段を発光させる発光手段と、前記発光手段が断線していないかを検知する断線検知手段とを備え、前記断線検知手段にて前記発光手段が断線していることを検知すると、前記操作手段による操作を無効とするとともに、前記加熱手段によって被加熱物を加熱しているときに、断線検知手段にて加熱を停止させるキーを表示させる前記発光手段の断線を検知すると、前記加熱手段による加熱を停止する構成としたものである。これにより、例えば、点灯すべき発光手段が断線により点灯できておらず操作手段が充分認識できない状態であるのに、操作手段が誤って押された場合にも、断線検知手段にて断線
を検知しているので、その入力を無効とすることができ、より使い勝手を良くすることが可能となる。また、加熱手段によって被加熱物を加熱しているときに、断線検知手段にて加熱を停止させるキーを表示させる発光手段の断線を検知すると、前記加熱手段による加熱を停止する構成としたものである。これにより、加熱を停止させるためのキーが認識できなくても自動的に加熱を停止することにより、より安全性を高めることが可能となる。
【００１０】
第２の発明は、被加熱物を加熱する加熱手段と、前記加熱手段の制御等を指示する操作手段と、前記操作手段を発光させる発光手段と、前記発光手段が断線していないかを検知する断線検知手段と、加熱のオンオフを行う指示をする専用の操作部である加熱操作手段と、前記加熱操作手段を発光させる加熱操作発光手段と、前記加熱操作発光手段の断線を検知する加熱操作断線検知手段とを備え、前記断線検知手段にて前記発光手段が断線していることを検知すると、前記操作手段による操作を無効とするとともに、前記加熱操作断線検知手段にて断線を検知したときのみ、加熱手段による加熱を行えないようにする構成としたものである。これにより、加熱を停止させるための加熱操作手段に対応した加熱操作発光手段が断線したときには加熱を停止させ安全性を確保するとともに、それ以外の操作手段に対応した発光手段が断線した場合には、加熱は継続可能とし、使い勝手を更に向上することができる。
【００１３】
第３の発明は、特に、第１または第２の発明において、加熱状態などを表示する表示手段を備え、前記断線検知手段あるいは前記加熱操作断線検知手段にて前記発光手段が断線していることを検知すると、前記表示手段にてその旨の表示を行う構成としたものである。これにより、断線を検知して操作手段が無効の状態である場合でも、発光手段の断線を検知していることを容易に認識でき、使用者が戸惑うことがなく、より使い勝手を向上することができる。
【００１６】
第４の発明は、特に、第１〜３のいずれかの発明において、報知手段を備え、前記断線検知手段あるいは前記加熱操作断線検知手段にて断線を検知しているときに、操作手段あるいは加熱操作手段に操作を指示する入力があると、前記報知手段にて断線を検知している旨の報知を行うものである。これにより、断線を検知しているときに操作手段あるいは加熱操作手段に入力があっても、発光手段が断線し機器の操作を無効にしていることを使用者に音（もしくは音声）で伝えることが可能となり、使い勝手を更に向上させることができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態における加熱調理器を示す外観図である。
【００１９】
図１において、加熱部１上方のトッププレート２は被加熱物（図示せず）を載置するガラスなどの電気絶縁物で光透過性の高いものであり、天面操作部３はトッププレート２上に配置されたものであり、カンガルー操作部４は加熱調理器の前面に配置されたものである。トッププレート２は、少なくとも天面操作部３の部分が光透過性の低い色で印刷されており、トッププレート２下にある発光手段７を構成する発光体が発光している時は、その光が見えるが、消灯している時は、発光体が見えにくい構造になっている。
【００２０】
図２は、本発明の第１の実施の形態における加熱調理器の概略構成図を示すものである。
【００２１】
図２において、調理容器１０は加熱調理を行うものであり、トッププレート２は調理容器１０を載置するためのものであり、加熱手段１１は、高周波電流を流すことにより高周波磁界を発生させるための加熱コイル１１ａ等で構成される。温度検知手段１２はトッププレート２を介して間接的に調理容器１０の温度を検知するものである。
【００２２】
以上のように構成された加熱調理器について、以下その動作、作用を説明する。
【００２３】
まず、図示していないが加熱制御手段１３に接続された操作部などによって誘導加熱装置に加熱開始の指示が発せられると、加熱制御手段１３は接続されている加熱コイル１１ａに高周波電流を供給する。調理容器１０は、加熱コイル１１ａの上方にあるトッププレート２に載置され、加熱コイル１１ａとは磁気結合している状態にある。高周波電流を供給された加熱コイル１１ａからは高周波磁界が発生し、調理容器１０内には電磁誘導による渦電流が流れ、そのジュール熱のために調理容器１０が加熱されるものである。
【００２４】
加熱制御手段１３は、使用者の指定した加熱電力量に制御する一方、温度検知手段１２から得た温度情報によっては加熱電力量を抑制、あるいは加熱停止を行う。例えば、揚げ物調理を行うモードで加熱動作を開始した場合には、調理容器１０を所定の温度で維持するように加熱電力量を制御し、あるいは通常の加熱を行っていた際に調理容器１０が異常な高温になっている場合に加熱電力量を抑制、あるいは加熱停止を行い、油発火等がないように安全性を確保している。加熱制御手段１３と温度検知手段１２は一体のものであってもよく、ＤＳＰやマイコン等が使用されることが多いがそれに限定するものではなく、カスタムＩＣのようなものであっても構わない。
【００２５】
ここで調理容器１０は加熱コイル１１ａと磁気結合するものであり、通常は磁性材料製のものである。非磁性で低抵抗な金属である銅やアルミなどは通常の誘導加熱装置では加熱できないが、最近は低抵抗金属でも加熱できる方式が実用化されており、その方式の誘導加熱装置であれば低抵抗金属製の調理容器であっても構わない。また、調理容器１０の径が小さい場合やトッププレート２と調理容器１０の間に大きなギャップがあることを検知手段を設けて検知すると加熱することができないような設計となっていることが多い。
【００２６】
トッププレート２は誘導加熱装置の外観を形成する一部であり、調理容器１０を載置するところである。トッププレート２は耐熱強化ガラス等で作られたもので、平面となっていることから掃除のし易さや美観といった面で優れており、誘導加熱装置の長所の一つとなっている。
【００２７】
次に図３〜図７を用いて、操作手段についての説明を行う。
【００２８】
図３はトッププレート２を上から見た図を示す。図４は本発明のブロック図である。
【００２９】
図４において、静電式タッチキー５は指５ａ、電極部５ｂの電極部からなる操作手段であり、操作検知手段６、発光手段７は導光板７ａ１等と発光素子７ａ２等とで構成され、発光制御手段８、断線検知手段９は発光手段７を構成する発光素子７ａ２の断線を検知する断線検知手段である。静電式タッチキー５は、トッププレート２の被加熱物（図示せず）を載置する表面（上面）と対向する裏面にある電極部５ｂと、トッププレート２を挟んで被加熱物の載置面にある指５ａとで、コンデンサを形成している。電極部５ｂには、高周波電圧が印加されている。操作検知手段６は、指５ａが電極部５ｂ上面のトッププレート２に触れたときに、高周波電圧をトッププレート２、指５ａを通してバイパスし、電極部５ｂに現れる電圧が所定以上変化することを検知して、操作が行われたことを検知している。
【００３０】
図５（ａ）は導光板７ａ１消灯時のトッププレート２の上面図、図５（ｂ）は導光板７ａ１点灯時のトッププレート２の上面図、図５（ｃ）に導光板７ａ１消灯時の断面図、図５（ｄ）に導光板７ａ１点灯時の断面図を示す。
【００３１】
電極部５ｂは、銅箔などの光透過性の低い金属膜のため、導光板７ａ１が発光してもトッププレート２上面に光が透過する事はない。そこで、図５の電極部５ｂに示すようにトッププレート２上に表示したい図形の発光させたい部分のみ金属膜を取り除いて光を透過できるようにしている。電極部５ｂ上のトッププレート２は、光透過性の低い色で印刷してあるので、図５（ｃ）に示すように導光板７ａ１が消灯している場合は、図５（ａ）のように何も見えない。図５（ｄ）のように、導光板７ａが点灯すると、電極部５ｂの金属膜部分は、光が透過せずトッププレート２の色のままであるが、電極部５ｂの金属膜を取り除いた部分は、導光板７ａ１の発光色が光透過性の高いガラスを透過するので、図５（ｂ）のようにキーの模様が浮かび上がる。これにより、静電式タッチキー５は下に配置する導光板７ａ１を点灯することで、静電式タッチキー５自体が発光したように見せている。
【００３２】
図６は天面操作部３の一部である。５ｃ〜５ｉは各機能ごとの静電式タッチキー５を示している。
【００３３】
特に、５ｇはロック解除キーであり、ロック状態にあり、他のキーの操作が不可となっている機器のロックを解除する。５ｃは、揚物開始キーであり、ロック解除状態の時、揚物調理を開始する場合に用いる。５ｆは加熱開始キーであり、ロック解除状態の時、揚物以外の加熱を開始する場合に用いる。加熱調理器は、電源投入後、数秒間は機器がどういう機能を持っているかをユーザーに知らせるために図６（ａ）のように全てのキー５ｃ〜５ｉが点灯する。数秒後、加熱調理器は、ロック状態に移行し、図６（ｂ）のようにロック解除キー５ｇのみが点灯または点滅する。この時、使用可能なキーはロック解除キー５ｇのみである。ユーザーがロック解除キー５ｇを操作すると、操作検知手段６は、ロック解除キー５ｇの操作を検知し、ロック解除キー５ｇが操作された事を、発光制御手段８に知らせる。発光制御手段８は、ロック状態からロック解除キー５ｇが押された場合は、ロック解除状態となり、揚物開始キー５ｃと加熱開始キー５ｆのみが操作可能であることを判定し、ロック解除キー５ｇを消灯し、揚物開始キー５ｃと加熱開始キー５ｆを点灯または点滅させた図６（ｃ）の状態になるよう、揚物開始キーに対応した発光素子７ｃ２と加熱開始キー５ｆに対応した発光素子７ｆ２を点灯させることにより、導光板７ｃ１と７ｆ１を光らせるよう制御する。
【００３４】
すると、ユーザーははじめのロック状態では、点灯しているロック解除キー５ｇを操作し、次にロックが解除されると、現れた揚物開始キー５ｃと加熱開始キー５ｆを操作するといったように、操作可能なキーが天面操作部３を見るだけで、理解できるので、操作仕様書を見ながら操作をする必要がなくなる。また、操作可能な静電式タッチキー５のみが点灯するので、その他の無効なキーを操作する誤操作がなくなる。
【００３５】
このように発光制御手段８の制御により発光手段７を点灯させる中で、もし、発光手段７を構成する発光素子が断線していると、当然、発光せず、静電タッチキー５も光によって浮かび上がってこなくなる。この状態で、静電タッチキー５が光により浮かびあがってこなくても、指５ａが電極部５ｂ上面のトッププレート２を触れると、電極部５ｂに現れる電圧が所定以上変化し、操作が行われたことを操作検知手段６にて検知する。しかしながら、ここで断線検知手段９が発光素子の断線を検知すると、操作検知手段６で検知した全ての操作を無効とする。これにより、使用者が意図せず、断線により点灯していない静電タッチキーを触れても、誤検知することが無くなる。
【００３６】
図７は本発明の実施の形態を示す回路図の一部である。
【００３７】
発光素子７ｇ２はロック解除キー５ｇの部分を光らせるためのものであり、抵抗７ｇ３は発光素子に流れる電流を制限するものである。そして抵抗内臓型のトランジスタ９ｇ１はロック解除キー５ｇを光らせる発光素子７ｇ２の断線を検知する断線検知手段９を構成するもので、抵抗９ｇ２はトランジスタ９ｇ１のコレクタに接続される抵抗であり、抵抗９ｇ３は抵抗９ｇ２とグランド（０Ｖ）とをつなぐ抵抗である。またダイオード９ｇ４はトランジスタ９ｇ１のベースに接続されるダイオードであり、そのアノード端子がトランジスタ９ｇ１とつながり、カソード端子が発光素子７ｇ２につながっている。そしてマイクロコンピュータ（以下、マイコンと称する）１４は発光制御手段８や断線検知手段９及び操作検知手段６の一部もしくは全てを兼ねるものである。
【００３８】
以下、図７を用いて、断線検知の具体的な動作について説明する。
【００３９】
先ず、加熱調理器に電源が供給されると、操作のロック状態であるため、ロック解除を行うためのロック解除キー５ｇのみが受付可能となるので、ロック解除キー５ｇを照らすために発光素子７ｇ２を点灯させる。具体的には、抵抗７ｇ３につながるマイコン１４の出力を“Ｈ”（オープン）から“Ｌ”（０Ｖ）にすることにより、発光素子７ｇ２に電圧が印加され、点灯するようになる。そして、このときに発光素子７ｇ２が正常に点灯している場合には、発光素子７ｇ２のカソード側の電圧は電源電圧（以下Ｖｄｄとする）からＶｆを引いたＶｄｄ−Ｖｆという電圧になる。そうするとトランジスタ９ｇ１のエミッタとダイオード９ｇ４にかかる電圧はＶｄｄ−（Ｖｄｄ−Ｖｆ）＝Ｖｆとなり、トランジスタのエミッタ−ベース間に充分な電圧が印加されず、トランジスタ９ｇ１はオンしない。そうすると、トランジスタ９ｇ１のコレクタからつながるマイコン１４の端子への入力は抵抗９ｇ３を介したグランド（０Ｖ）になる。一方、もし、発光素子７ｇ２が断線していると、トランジスタ９ｇ１とダイオード９ｇ４と抵抗７ｇ３にＶｄｄが印加されることになり、トランジスタ９ｇ１のエミッタ−ベース間に充分な電圧が加わりトランジスタ９ｇ１がオンする。すると、トランジスタ９ｇ１のコレクタからつながるマイコン１４の入力端子にはＶｄｄを抵抗９ｇ２と抵抗９ｇ３で分圧した値となるが、抵抗９ｇ３を抵抗９ｇ２と比較して充分大きく設定すると、マイコン１４への入力はＶｄｄに近い値になる。
【００４０】
つまり、発光素子７ｇ２を点灯させているときのトランジスタ９ｇ１のコレクタからつながったマイコン１４への入力がグランド（０Ｖ）のときには、発光素子７ｇ２は断線しておらず正常であり、逆に入力がＶｄｄに近い値のときには、発光素子７ｇ２が断線していると判定することができる。この断線検知を各キーに設けることにより、それぞれのキーの断線を検知できる。
【００４１】
以上の動作により、正確に発光素子の断線を検知することが可能であり、断線を検知した際には、操作検知手段への操作の入力を無効とし、使用者の意図しない操作の誤検知を防ぐことが可能となる。
【００４２】
尚、本実施の形態では、断線を検知すると全ての操作を無効とする構成としたが、必ずしも全ての操作を無効とする必要は無く、断線を検知した発光手段に対応した静電タッチキーの操作についてのみ無効とすることも可能である。
【００４３】
また、加熱動作中に断線を検知した場合には、加熱動作を強制的に停止させることにより、より安全性が高くなることは言うまでもない。
【００４４】
更に、本発明では発光素子の断線を検知する断線検知手段としたが、これに限るものではなく、例えば、光を受光する受光素子を用いて、発光素子が点灯しているかどうかを、光で検知する点灯検知手段としても良い。
【００４５】
（実施の形態２）
本発明の第２の実施の形態について図１、２、３、８を参照しながら説明する。なお、実施の形態１で説明したものと同一構成部品には同一符号を用い、その説明を省略する。
【００４６】
図８は本発明の第２の実施の形態におけるブロック図である。
【００４７】
図８において、静電式タッチキー５は指５ａと、電極部５ｂからなる操作手段であり、操作検知手段６、発光手段７は導光板７ａ１等と発光素子７ａ２等とで構成され、発光制御手段８、断線検知手段９は発光手段７を構成する発光素子の断線を検知するものであり、表示手段１５、報知手段１６である。
【００４８】
静電式タッチキー５は、トッププレート２の被加熱物（図示せず）を載置する表面（上面）と対向する裏面（下面）にある電極部５ｂと、トッププレート２を挟んで被加熱物の載置面にある指５ａとで、コンデンサを形成している。電極部５ｂには、高周波電圧が印加されている。操作検知手段６は、指５ａが電極部５ｂ上面のトッププレート２に触れたときに、高周波電圧をトッププレート２、指５ａを通してバイパスし、電極部５ｂに現れる電圧が所定以上変化することを検知して、操作が行われたことを検知している。
【００４９】
発光手段７は、発光素子７ａ２で発光された光を導光板７ａ１を通して、静電タッチキー５を下方から照らす構成となっており、特に静電タッチキーの中でも、ある時点で操作可能なキーのみを照らすようになっている。そして、断線検知手段９は、発光手段７の断線を検知するものである。もし、点灯させるべき発光手段７が断線しているのを断線検知手段９で検知すると、表示手段１５にて“Ｈ０１”というエラー表示を行い、視覚的に使用者に断線を検知していることを伝える構成となっている。更に、この状態で、もし静電タッチキー５が押されたのを検知すると、報知手段１６にて、“断線検知しています”というフレーズを音声として発する構成となっており、使用者が表示手段１５による表示だけでは気付かずに操作してしまったときにも、報知手段１６にて追加で知らせることにより、より使い勝手が向上している。
【００５０】
尚、本実施の形態では表示手段による断線検知したときの表示をアルファベットと数字の組み合わせによるエラーコードの表示としたが、これに限るものではなく、例えば、表示手段として文字を表示できるカラー液晶等を用いて、文字で“断線検知しています”といった表示とすることにより、更に分かりやすくなることは言うまでもない。
【００５１】
また、本実施の形態では報知手段にて音声を発する構成としたが、これに限るものではなく、例えば、ブザーを用いて、“ピピッ”というような警告音にて使用者に知らせる構成とすることにより、報知手段を安価にて実現することが可能となる。
【００５２】
（実施の形態３）
本発明の第３の実施の形態について図１、２、３、４、５、９、１０、１１を参照しながら説明する。なお、実施の形態１で説明したものと同一構成部品には同一符号を用い、その説明を省略する。
【００５３】
図９は本発明の第３の実施の形態における天面操作部で、図１０はブロック図であり、図１１は回路図の一部である。
【００５４】
図９において、加熱操作手段１７は加熱手段１１による加熱のスタート及び停止の命令を入力するものである。
【００５５】
図１０において、加熱操作手段１７に対応した静電タッチキー５を照らすのが、発光手段７を形成する導光板７ｆ１と発光素子７ｆ２である。また、断線検知手段９は加熱操作手段１７に対応した静電タッチキーを照らすための発光素子７ｆ２の断線だけを検知するものである。他の発光素子が断線していて、静電タッチキーの操作部分が照らされず、操作ができなくても、加熱の開始及び停止は動作させることができ、全ての操作を無効とせず、加熱調理器としての最低限の動作をさせることは可能である。しかしながら、加熱操作手段１７に対応した発光素子７ｆ２が断線すると、もし加熱手段１１にて加熱中であれば、加熱を停止させるための動作をしたくても、静電タッチキーが照らされず、停止させることが困難となる。それを防ぐためにまさに断線検知手段９があるのであり、加熱操作手段１７に対応した発光素子７ｆ２が断線したのを断線検知手段９にて検知すると、もし加熱手段１１にて加熱中であれば、加熱動作を即停止させる構成としている。また、それ以降の操作を無効として、安全性を高めている。
【００５６】
図１１において、７ｆ２ａと７ｆ２ｂは加熱操作手段１６を照らすための発光素子７ｆ２を成すＬＥＤであり、ＬＥＤ７ｆ２ａとＬＥＤ７ｆ２ｂは並列に接続されている。
【００５７】
以下、図１１を用いて、断線検知の具体的な動作について説明する。
【００５８】
先ず、加熱調理器に電源が供給されると、操作のロック状態であるため、ロック解除を行うためのロック解除キー５ｇのみが受付可能となるので、ロック解除キー５ｇを照らすために発光素子７ｇ２を点灯させる。具体的には、抵抗７ｇ３につながるマイコン１４の出力を“Ｈ”（オープン）から“Ｌ”（０Ｖ）にすることにより、発光素子７ｇ２に電圧が印加され、点灯するようになる。
【００５９】
ロック解除キー５ｇを受け付けると、次に加熱操作手段１７を操作することを可能とするので、加熱操作手段１７を照らすために発光素子７ｆ２を点灯させる。具体的には、抵抗７ｆ３につながるマイコン１４の出力を“Ｈ”（オープン）から“Ｌ”（０Ｖ）にすることにより、発光素子７ｆ２に電圧が印加され、点灯するようになる。
【００６０】
そして、このときに発光素子７ｆ２が正常に点灯している場合には、発光素子７ｆ−２のカソード側の電圧は電源電圧（以下Ｖｄｄとする）からＶｆを引いたＶｄｄ−Ｖｆという電圧になる。そうするとトランジスタ９ｆ１のエミッタとダイオード９ｆ４にかかる電圧はＶｄｄ−（Ｖｄｄ−Ｖｆ）＝Ｖｆとなり、トランジスタのエミッタ−ベース間に充分な電圧が印加されず、トランジスタ９ｆ１はオンしない。そうすると、トランジスタ９ｆ１のコレクタからつながるマイコン１４の端子への入力は抵抗９ｆ３を介したグランド（０Ｖ）になる。
【００６１】
また、発光素子７ｆ２のうち、ＬＥＤ７ｆ２ａもしくはＬＥＤ７ｆ２ｂのどちらかが断線していたとしても、トランジスタ９ｆ１とダイオード９ｆ４にかかる電圧は、同様にＶｆとなり、トランジスタのエミッタ−ベース間に充分な電圧が印加されず、トランジスタ９ｆ１はオンしない。そうすると、トランジスタ９ｆ１のコレクタからつながるマイコン１４の端子への入力は抵抗９ｆ−３を介したグランド（０Ｖ）になる。
【００６２】
また、発光素子７ｆ２を構成するＬＥＤのどちらかが断線していても、並列接続とすることにより、発光素子７ｆ２全体に流れる電流量は変わらないため、明るさも両方とも断線していない場合とほぼ同等の明るさが維持される。
【００６３】
そして、発光素子７ｆ２のうち、ＬＥＤ７ｆ２ａとＬＥＤ７ｆ２ｂの両方ともが断線していたとすると、トランジスタ９ｆ１とダイオード９ｆ４と抵抗７ｆ３にＶｄｄが印加されることになり、トランジスタ９ｆ１のエミッタ−ベース間に充分な電圧が加わりトランジスタ９ｆ１がオンする。すると、トランジスタ９ｆ１のコレクタからつながるマイコン１４の入力端子にはＶｄｄを抵抗９ｆ２と抵抗９ｆ３で分圧した値となるが、抵抗９ｆ３を抵抗９ｆ２と比較して充分大きく設定すると、マイコン１４への入力はＶｄｄに近い値になる。
【００６４】
つまり、発光素子７ｆ２を構成するＬＥＤを複数個設けることにより、たとえ、ＬＥＤのひとつが断線しても、発光素子７ｆ２を構成する全てのＬＥＤが断線しない限り、断線検知手段９にて断線を検知するには至らない。この構成をとることによって、故障となり使用できなくなる確率を減らすことが可能であり、より使い勝手が良くなることは言うまでもない。
【００６５】
本実施の形態のように、加熱操作手段のような機器の動作に大きく影響する操作に対応した発光手段を複数個から成る発光素子とすることが望ましいのは明らかである。
【産業上の利用可能性】
【００６６】
以上のように本発明にかかる加熱調理器では、操作可能なキーのみ点灯させて操作を選択する煩わしさを解消し使い勝手をよくしているだけでなく、操作可能なキーを点灯させる手段が断線している場合には、その断線を検知して、操作を無効とすることにより、断線によってキーが消灯しているにも関わらず、不用意に操作可能なキーを押され使用者が意図せず、操作されることを防ぐことが可能となるので、キーを点灯させる操作手段を有する加熱機器等の用途にも適用できる。
【図面の簡単な説明】
【００６７】
【図１】本発明の実施の形態１、２、３における加熱調理器の外観図
【図２】本発明の実施の形態１、２、３における加熱調理器の概略構成図
【図３】本発明の実施の形態１、２、３における加熱調理器の上面図
【図４】本発明の実施の形態１、３における加熱調理器のブロック図
【図５】（ａ）本発明の実施の形態１、３における導光板消灯時の上面図（ｂ）本発明の実施の形態１、３における導光板点灯時の上面図（ｃ）本発明の実施の形態１における導光板消灯時の断面図（ｄ）本発明の実施の形態１、３における導光板点灯時の断面図
【図６】本発明の実施の形態１における加熱調理器の天面操作部を示す図
【図７】本発明の実施の形態１における加熱装調理器の一部の回路図
【図８】本発明の実施の形態２における加熱調理器のブロック図
【図９】本発明の実施の形態３における加熱調理器の天面操作部を示す図
【図１０】本発明の実施の形態３における加熱調理器のブロック図
【図１１】本発明の実施の形態３における加熱調理器の一部の回路図
【図１２】従来の加熱調理器のの概略構成図
【符号の説明】
【００６８】
１  加熱部
２  トッププレート
３  天面操作部
４  カンガルー操作部
５  静電式タッチキー
６  操作検知手段
７  発光手段
８  発光制御手段
９  断線検知手段
１０  調理容器
１１  加熱手段
１２  温度検知手段
１３  加熱制御手段
１４  マイクロコンピュータ
１５  表示手段
１６  報知手段
１７  加熱操作手段
【図２】
0005092698.tif 000002
【図７】
0005092698.tif 000003
【図１１】
0005092698.tif 000004
【図１】
0005092698.tif 000005
【図３】
0005092698.tif 000006
【図４】
0005092698.tif 000007
【図５】
0005092698.tif 000008
【図６】
0005092698.tif 000009
【図８】
0005092698.tif 000010
【図９】
0005092698.tif 000011
【図１０】
0005092698.tif 000012
【図１２】
0005092698.tif 000013